(57)【要約】【目的】ビデオトラックのトレースを安定化させること。【構成】外周面に磁気テープＴ案内用リード１を形成した固定シリンダ２の中央ボス部２ａ内の両端に一対の焼結合金製メタル４が嵌入され、磁気ヘッド３ａを有する回転シリンダ３の中央に突設したシャフト５が両メタル４に挿通され、固定シリンダ２を支持台６上に固定し、磁気テープＴをリード１に沿って両シリンダ２，３の外周面に半周巻き付け、その磁気テープＴに対して磁気ヘッド３ａにより情報を記録したり再生を行うようにした回転磁気ヘッド装置において、前記両メタル４に、その外周面４ａの軸心Ｏ１からリード１の中央部１ｂ側にわずかに位置ずれさせた軸心Ｏ３を中心にサイジングバーで仕上げ孔４ｃが形成されている。【選択図】　　　　図１
0003099501.tif 000002
【実用新案登録請求の範囲】
【請求項１】
外周面に磁気テープ案内用リードを形成した固定シリンダの中央ボス部内の両端に一対の焼結合金製メタルが嵌入され、該両メタルの中心孔をサイジングバーで拡張することにより該中心孔と同心状の仕上げ孔が形成され、磁気ヘッドを有する回転シリンダの中央に突設したシャフトが前記仕上げ孔に回転可能に挿通されており、磁気テープを前記リードに沿って両シリンダの外周面に半周巻き付け、その磁気テープに対して前記磁気ヘッドにより情報を記録したり再生を行うようにした回転磁気ヘッド装置において、前記両メタルに中心孔と同心状の仕上げ孔を形成することに代えて、両メタルの外周面の軸心からリードの中央部側にわずかに位置ずれさせた軸心を中心にサイジングバーで仕上げ孔が形成されていることを特徴とする回転磁気ヘッドのメタル付きシリンダ。
【請求項２】
外周面に磁気テープ案内用リードを形成した固定シリンダと磁気ヘッドを有する回転シリンダとのうち、その一方のシリンダの中央ボス部内の両端に一対の焼結合金製メタルが嵌入されると共に、その他方のシリンダの中央に突設したシャフトが前記両メタルを介して中央ボス部内に挿通されており、磁気テープを前記リードに沿って両シリンダの外周面に半周巻き付け、その磁気テープに対して前記磁気ヘッドにより情報を記録したり再生を行うようにした回転磁気ヘッド装置において、前記両メタルの中心孔をサイジングバーで拡張することにより該両メタルの外周面の軸心からリードの中央部側にわずかに位置ずれさせた軸心を中心に仕上げ孔が形成され、該仕上げ孔にシャフトが回転可能に挿通されていることを特徴とする回転磁気ヘッドのメタル付きシリンダ。
【請求項３】
外周面に磁気テープ案内用リードを形成した固定シリンダと磁気ヘッドを有する回転シリンダとのうち、その一方のシリンダの中央ボス部内の両端に嵌入させた一対の焼結合金製メタルの中心孔を仕上げるためのメタル中心孔仕上げ装置であって、テーブルと、該テーブルの上方に配置した昇降可能な回転軸とを備え、該回転軸の下端にサイジングバーが同心状に取り付けられ、前記テーブル上にプレートが固定されると共に、該プレート上にベースが摺動可能に載置され、該ベースの上面中央に位置決め凹部が形成されると共に、そのベースの上面周縁部に位置決めピンが突設されており、前記一方のシリンダの中央ボス部の下端部を前記位置決め凹部に嵌入させると共に、該一方のシリンダに形成した位置決め孔を前記位置決めピンに嵌合させることにより、その一方のシリンダをベース上に位置決めし、前記テーブルとプレートとの間にシムを介在させて該プレートを所定の勾配で傾斜させることにより、ベース及び一方のシリンダを介して前記両メタルの外周面の軸心を前記サイジングバーの軸心に対して所定角度傾かせ、回転しながら下降するサイジングバーで両メタルの中心孔を拡張することにより該両メタルの外周面の軸心からリードの中央部側にわずかに位置ずれさせた軸心を中心に仕上げ孔を形成するようにしたことを特徴とするメタル中心孔仕上装置。
【考案の詳細な説明】
【０００１】
【考案の属する技術分野】
本考案は、例えば磁気テープ装置における記録や再生に用いられる回転磁気ヘッド装置のメタル付きシリンダとメタル中心孔仕上げ装置に関する。
【０００２】
【従来の技術】
従来、回転磁気ヘッド装置の技術として特許文献１などに記載したものがあり、その一例を図７及び図８に基づいて説明すると、これは、外周面に磁気テープＴ案内用リード１を形成した固定シリンダ２と磁気ヘッド３ａを有する回転シリンダ３とを有し、固定シリンダ２の中央ボス部２ａ内の両端に一対の焼結合金製メタル４が嵌入されると共に、回転シリンダ３の中央に突設したシャフト５が前記両メタル４を介して中央ボス部２ａ内に挿通され、前記固定シリンダ２が支持台６上に固定されている。なお、図７中、７は中央ボス部２ａの下端にビス止めしたカップ状ケース、８は固定シリンダ２の中央ボス部２ａと回転シリンダ３との間に配置した円筒状ロータリートランス、９は駆動モータのマグネットであって回転シリンダ３に固着されている。
【０００３】
上記構成において、磁気テープＴをリード１の入口１ａからその中央部１ｂを通ってその出口１ｃまで両シリンダ２，３に半周巻き付け、その両シリンダ２，３を回転させると共に、磁気テープＴを走行させて、その磁気テープＴに対して磁気ヘッド３ａにより情報を記録したり再生を行う。
【０００４】
前記メタル４は、図９に示すように、外周面４ａの軸心Ｏ１と中心孔４ｂの軸心Ｏ２とを同心状にした多数の筒状メタル素材４Ａを形成した後、その多数のメタル素材４Ａを高温で焼成することにより形成されるが、その焼成により外周面４ａの軸心Ｏ１と中心孔４ｂの軸心Ｏ２とが互いに偏心して小幅α（例えば１０μ〜５０μ）位置ずれすることがある。
【０００５】
そこで、多数のメタル４を焼成した後、該各メタル４の外周面４ａと中心孔４ｂとの軸心Ｏ１，Ｏ２のずれを測定し、その測定結果に基づいて各メタル４の端面に軸心Ｏ１，Ｏ２のずれ方向にマーキングＭ〔図９（ｂ）参照〕し、その多数のメタル４を偏心幅αが近いものどうし複数（例えば３）のグループに分け、その各グループ内の適当な２つのメタル４を選び出して中央ボス部２ａ内の両端に嵌入させ、その両メタル４の中心孔４ｂをメタル中心孔仕上げ装置により仕上げている。
【０００６】
前記メタル中心孔仕上げ装置は、図１０に示すように、ボール盤からなり、支柱１０から水平に延びるテーブル１１と、該テーブル１１の上方で支柱１０の上端のヘッド部１０ａから垂下させた昇降可能な回転軸１２とを備え、該回転軸１２の下端チャッキング部１３にサイジングバー１４が同心状に取り付けられており、作業員が両手で固定シリンダ２を把持して両メタル４をサイジングバー１４に嵌合させ、該サイジングバー１４を回転させてそのねじ式仕上げ部１４ａで両メタル４の中心孔４ｂを拡張させることにより（図１１実線参照）、その両メタル４に中心孔４ｂと同心状の仕上げ孔４ｃを形成する〔図１２（ａ）〜（ｄ）参照〕。
【０００７】
【特許文献１】
特開平９−４４９４４号公報
【０００８】
【考案が解決しようとする課題】
上記構成では、マーキングＭにより偏心幅αが近い２つのメタル４を選び出して中心孔４ｂ内に嵌入させているが、これだけでは、両メタル４の外周面４ａの軸心Ｏ１に対して中心孔４ｂの軸心Ｏ２がランダムに散らばることになり、その中心孔４ｂと同心状に形成した仕上げ孔４ｃの軸心Ｏ２も外周面４ａの軸心Ｏ１に対してランダムに散らばることになる〔図１２（ａ）〜（ｄ）参照〕。
【０００９】
上記のようにランダムに散らばる仕上げ孔４ｃの軸心Ｏ２が外周面４ａの軸心Ｏ１からリード１の入口１ａ側に位置ずれしている場合には〔図１２（ａ）参照〕、磁気ヘッド３ａもリード１の入口１ａ側にわずかに下がった状態で位置決めされる。従って、図７（ｃ）に示すように、そのリード１の入口１ａ側にわずかに下がった磁気ヘッド３ａの軌跡ｈと磁気テープＴ上のビデオトラックｔとのずれがリード１の入口１ａから出口１ｃまで磁気テープＴの巻き付け幅Ｌの全長にわたって続き、そのずれ幅βが大きいから、磁気ヘッド３ａによるビデオトラックｔのトレースが不安定となり、例えば再生画面にノイズが生じて不鮮明になるおそれがある。
【００１０】
本考案は、上記難点に鑑み、ビデオトラックのトレースを安定化させる回転磁気ヘッド装置のメタル付きシリンダとメタル中心孔仕上げ装置を提供することを目的としている。
【００１１】
【課題を解決するための手段】
上記目的を達成するため、請求項１に記載の考案は、外周面に磁気テープ案内用リードを形成した固定シリンダの中央ボス部内の両端に一対の焼結合金製メタルが嵌入され、該両メタルの中心孔をサイジングバーで拡張することにより該中心孔と同心状の仕上げ孔が形成され、磁気ヘッドを有する回転シリンダの中央に突設したシャフトが前記仕上げ孔に回転可能に挿通されており、磁気テープを前記リードに沿って両シリンダの外周面に半周巻き付け、その磁気テープに対して前記磁気ヘッドにより情報を記録したり再生を行うようにした回転磁気ヘッド装置において、前記両メタルに中心孔と同心状の仕上げ孔を形成することに代えて、両メタルの外周面の軸心からリードの中央部側にわずかに位置ずれさせた軸心を中心にサイジングバーで仕上げ孔が形成されていることを特徴としている。
【００１２】
上記構成は実施の一形態（図１参照）に対応するものであって、これによれば、固定シリンダの中央ボス部内の両端に嵌入させた両メタルの中心孔をサイジングバーで矯正して仕上げ孔がリードの中央部側にわずかに偏心するように形成されるから、該両メタルの仕上げ孔に回転シリンダのシャフトを挿通することにより、該回転シリンダの磁気ヘッドもリードの中央部側にわずかに下がった状態で位置決めされる。従って、そのリードの中央部側にわずかに下がった磁気ヘッドの軌跡と磁気テープ上のビデオトラックとのずれがリードの中央部からその出口までの磁気テープ巻き付け幅の半分にわたって続くだけであり、そのずれ幅が小さいから、磁気ヘッドによるビデオトラックのトレースを安定化させて、ノイズの無い鮮明な映像を再生することができる。
【００１３】
請求項２に記載の考案は、外周面に磁気テープ案内用リードを形成した固定シリンダと磁気ヘッドを有する回転シリンダとのうち、その一方のシリンダの中央ボス部内の両端に一対の焼結合金製メタルが嵌入されると共に、その他方のシリンダの中央に突設したシャフトが前記両メタルを介して中央ボス部内に挿通されており、磁気テープを前記リードに沿って両シリンダの外周面に半周巻き付け、その磁気テープに対して前記磁気ヘッドにより情報を記録したり再生を行うようにした回転磁気ヘッド装置において、前記両メタルの中心孔をサイジングバーで拡張することにより該両メタルの外周面の軸心からリードの中央部側にわずかに位置ずれさせた軸心を中心に仕上げ孔が形成され、該仕上げ孔にシャフトが回転可能に挿通されていることを特徴としている。
【００１４】
上記構成によれば、中央ボス部内の両端に嵌入させた両メタルの中心孔をサイジングバーで矯正して仕上げ孔がリードの中央部側にわずかに偏心するように形成されるから、該両メタルの仕上げ孔にシャフトを挿通することにより、回転シリンダの磁気ヘッドもリードの中央部側にわずかに下がった状態で位置決めされる。従って、そのリードの中央部側にわずかに下がった磁気ヘッドの軌跡と磁気テープ上のビデオトラックとのずれがリードの中央部からその出口までの磁気テープ巻き付け幅の半分にわたって続くだけであり、そのずれ幅が小さいから、磁気ヘッドによるビデオトラックのトレースを安定化させて、ノイズの無い鮮明な映像を再生することができる。
【００１５】
請求項３に記載の考案は、外周面に磁気テープ案内用リードを形成した固定シリンダと磁気ヘッドを有する回転シリンダとのうち、その一方のシリンダの中央ボス部内の両端に嵌入させた一対の焼結合金製メタルの中心孔を仕上げるためのメタル中心孔仕上げ装置であって、テーブルと、該テーブルの上方に配置した昇降可能な回転軸とを備え、該回転軸の下端にサイジングバーが同心状に取り付けられ、前記テーブル上にプレートが固定されると共に、該プレート上にベースが摺動可能に載置され、該ベースの上面中央に位置決め凹部が形成されると共に、そのベースの上面周縁部に位置決めピンが突設されており、前記一方のシリンダの中央ボス部の下端部を前記位置決め凹部に嵌入させると共に、該一方のシリンダに形成した位置決め孔を前記位置決めピンに嵌合させることにより、その一方のシリンダをベース上に位置決めし、前記テーブルとプレートとの間にシムを介在させて該プレートを所定の勾配で傾斜させることにより、ベース及び一方のシリンダを介して前記両メタルの外周面の軸心を前記サイジングバーの軸心に対して所定角度傾かせ、回転しながら下降するサイジングバーで両メタルの中心孔を拡張することにより該両メタルの外周面の軸心からリードの中央部側にわずかに位置ずれさせた軸心を中心に仕上げ孔を形成するようにしたことを特徴としている。
【００１６】
上記構成によれば、一方のシリンダの中央ボス部内の両端に嵌入させた両メタルの中心孔がランダムに偏心していても、その一方のシリンダをベースを介して支持するプレートとテーブルとの間にシムを介在させることにより、前記両メタルの外周面の軸心を前記サイジングバーの軸心に対して所定角度傾かせた後、回転しながら下降するサイジングバーで両メタルの中心孔を拡張するだけで、その中心孔を矯正して、両メタルに対してリードの中央部側に所望通りに偏心させた仕上げ孔を精密に形成することができる。
【００１７】
【考案の実施の形態】
図１は本考案の実施の一形態である回転磁気ヘッド装置を示すものであって、固定シリンダ２の中央ボス部２ａ内の両端に嵌入させた両メタル４の外周面４ａの軸心Ｏ１からリード１の中央部１ｂ側にわずかに位置ずれさせた軸心Ｏ３を中心にメタル中心孔仕上げ装置により仕上げ孔４ｃが形成されている。上記以外の構成は図５から図１２に示す構成とほぼ同じであるから、同一部分に同一符号を付してその説明を省略する。
【００１８】
前記メタル中心孔仕上げ装置は、図２から図５に示すように、ボール盤を改良したものであって、テーブル１１上に矩形板状のプレート１６がボルト・ナット１７により固定され、該プレート１６上に、固定シリンダ２とほぼ同径で上下面１８Ａ，１８Ｂを平行させた円柱状ベース１８が摺動可能に載置され、該ベース１８の上面１８Ａの中央に位置決め凹部１８ａが形成されると共に、その上面１８Ａの周縁部に位置決めピン１９が突設されている。
【００１９】
仕上げ加工手順を説明すると、固定シリンダ２の中央ボス部２ａの下端部を位置決め凹部１８ａに嵌入させると共に、該固定シリンダ２に形成した位置決め孔２ｂを位置決めピン１９に嵌合させることにより、その固定シリンダ２をベース１８上に位置決めし、テーブル１１とプレート１６との間にシム２０を介在させて該プレート１６を所定の勾配ｂ／ａ（例えばａ＝１５０ｍｍ、ｂ＝０．４ｍｍ）で傾斜させることにより〔図５（ｂ）参照〕、ベース１８及び固定シリンダ２を介して両メタル４の外周面４ａの軸心Ｏ１をサイジングバー１４の軸心Ｏ３に対してリード１の中央部１ｂとは逆方向に所定角度傾かせる（図３参照）。
【００２０】
次に、図５（ａ）に示すように、サイジングバー１４を下降させると共に、ベース１８を摺動させて、両メタル４の中心孔４ｂをサイジングバー１４の下端に嵌合させ、続いて、サイジングバー１４を回転させながら下降させることにより、該サイジングバー１４で両メタル４の中心孔４ｂを拡張し、両メタル４の外周面４ａの軸心Ｏ１からリード１の中央部１ｂ側にわずかに位置ずれさせた軸心Ｏ３を中心に仕上げ孔４ｃを形成する〔図６（ａ）〜（ｄ）参照〕。
【００２１】
上記構成によれば、両メタル４の中心孔４ｂの軸心Ｏ２がランダムに偏心していても〔図６（ａ）〜（ｄ）参照〕、その固定シリンダ２をベース１８を介して支持するプレート１６とテーブル１１との間にシム２０を介在させることにより、前記両メタル４の外周面４ａの軸心Ｏ１をサイジングバー１４の軸心Ｏ３に対して所定角度傾かせた後、回転しながら下降するサイジングバー１４で両メタル４の中心孔４ｂを拡張するだけで、その中心孔４ｂを矯正して、両メタル４に対してリード１の中央部１ｂ側に所望通りに偏心させた仕上げ孔４ｃを精密に形成することができる（図６参照）。
【００２２】
その後、図１に示すように、両メタル４の仕上げ孔４ｃに回転シリンダ３のシャフト５を挿通することにより、回転磁気ヘッド装置を組み立て、これによって、シャフト５及び回転シリンダ３を介して磁気ヘッド３ａをリード１の中央部１ｂ側にわずかに下げる。
【００２３】
上記構成によれば、図１（ｃ）に示すように、リード１の中央部１ｂ側にわずかに下がった磁気ヘッド３ａの軌跡ｈと磁気テープＴ上のビデオトラックｔとのずれがリード１の中央部１ｂからその出口１ｃまでの磁気テープ巻き付け幅Ｌの半分にわたって続くだけであり（１／２・Ｌ）、そのずれ幅βが小さいから、磁気ヘッド３ａによるビデオトラックｔのトレースを安定化させて、ノイズの無い鮮明な映像を再生することができる。
【００２４】
上記の実施の形態では、回転シリンダ３の中央に突設したシャフト５を両メタル４を介して固定シリンダ２の中央ボス部２ａに挿通するタイプの回転磁気ヘッド装置を例にあげて説明したが、これに限定されるわけではなく、固定シリンダ２の中央に突設したシャフト５を両メタル４を介して回転シリンダ３の中央ボス部２ａに挿通するタイプの回転磁気ヘッド装置にも適用することができる。
【００２５】
【考案の効果】
請求項１に記載の考案によれば、実施の一形態（図１参照）に示すように、固定シリンダの中央ボス部内の両端に嵌入させた両メタルの中心孔を矯正して仕上げ孔がリードの中央部側にわずかに偏心するように形成されるから、該両メタルの仕上げ孔に回転シリンダのシャフトを挿通することにより、該回転シリンダの磁気ヘッドもリードの中央部側にわずかに下がった状態で位置決めされる。従って、そのリードの中央部側にわずかに下がった磁気ヘッドの軌跡と磁気テープ上のビデオトラックとのずれがリードの中央部からその出口までの磁気テープ巻き付け幅の半分にわたって続くだけであり、そのずれ幅が小さいから、磁気ヘッドによるビデオトラックのトレースを安定化させて、ノイズの無い鮮明な映像を再生することができる。
【００２６】
請求項２に記載の考案によれば、中央ボス部内の両端に嵌入させた両メタルの中心孔を矯正して仕上げ孔がリードの中央部側にわずかに偏心するように形成されるから、該両メタルの仕上げ孔にシャフトを挿通することにより、回転シリンダの磁気ヘッドもリードの中央部側にわずかに下がった状態で位置決めされる。従って、そのリードの中央部側にわずかに下がった磁気ヘッドの軌跡と磁気テープ上のビデオトラックとのずれがリードの中央部からその出口までの磁気テープ巻き付け幅の半分にわたって続くだけであり、そのずれ幅が小さいから、磁気ヘッドによるビデオトラックのトレースを安定化させて、ノイズの無い鮮明な映像を再生することができる。
【００２７】
請求項３に記載の考案によれば、一方のシリンダの中央ボス部内の両端に嵌入させた両メタルの中心孔がランダムに偏心していても、その一方のシリンダをベースを介して支持するプレートとテーブルとの間にシムを介在させることにより、前記両メタルの外周面の軸心を前記サイジングバーの軸心に対して所定角度傾かせた後、回転しながら下降するサイジングバーで両メタルの中心孔を拡張するだけで、その中心孔を矯正して、両メタルに対してリードの中央部側に所望通りに偏心させた仕上げ孔を精密に形成することができる。
【図面の簡単な説明】
【図１】（ａ）は本考案の実施の一形態である回転磁気ヘッド装置を示す縦断面図（断面はＡ−Ａ線に沿う）、（ｂ）は同平面図、（ｃ）は磁気ヘッドの軌跡とビデオトラックとの関係を示す磁気テープの展開図である。
【図２】同メタル中心孔仕上げ装置の側面図である。
【図３】同装置の要部の斜視図である。
【図４】同要部の分解斜視図である。
【図５】仕上げ加工状態を示す要部の縦断面図である。
【図６】（ａ）〜（ｄ）はメタルの中心孔及び仕上げ孔を示す概略平面図である。
【図７】（ａ）は従来の回転磁気ヘッド装置を示す横断面図（断面はＢ−Ｂ線に沿う）、（ｂ）は同平面図、（ｃ）は磁気ヘッドの軌跡とビデオトラックとの関係を示す磁気テープの展開図である。
【図８】同固定シリンダ及び回転シリンダを示す分解斜視図である。
【図９】（ａ）はメタル素材の縦断面図と平面図、（ｂ）は焼成したメタルの平面図である。
【図１０】従来のメタル中心孔仕上げ装置の側面図である。
【図１１】同装置による仕上げ加工状態を示す縦断面図である。
【図１２】（ａ）〜（ｄ）は従来のメタルの中心孔及び仕上げ孔を示す概略平面図である。
【符号の説明】
１　　　リード
１ａ　　リードの入口
１ｂ　　リードの中央部
１ｃ　　リードの出口
２　　　固定シリンダ
２ａ　　中央ボス部
２ｂ　　位置決め孔
３　　　回転シリンダ
３ａ　　磁気ヘッド
４　　　メタル
４ａ　　メタルの外周面
４ｂ　　メタルの中心孔
４ｃ　　メタルの仕上げ孔
５　　　シャフト
１２　　回転軸
１４　　サイジングバー
１６　　プレート
１８　　ベース
１８ａ　ベースの位置決め凹部
１９　　位置決めピン
２０　　シム
Ｔ　　　磁気テープ
Ｏ１　　メタルの外周面の軸心
Ｏ２　　メタルの中心孔の軸心
Ｏ３　　サイジングバーの軸心
ｂ／ａ　勾配
【図１】
0003099501.tif 000003
【図２】
0003099501.tif 000004
【図３】
0003099501.tif 000005
【図４】
0003099501.tif 000006
【図５】
0003099501.tif 000007
【図６】
0003099501.tif 000008
【図７】
0003099501.tif 000009
【図８】
0003099501.tif 000010
【図９】
0003099501.tif 000011
【図１０】
0003099501.tif 000012
【図１１】
0003099501.tif 000013
【図１２】
0003099501.tif 000014